【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
歯内治療のための装置であって、
本体および前記本体の遠位端のノズルを備え、
前記本体は、流体を形成する、液体のみ、液体および研磨剤、気体のみ、または研磨剤および気体の外部源に接続可能な１つ以上の入口パイプを有し、
前記ノズルは、流体流路を形成するルーメンによって隔てられた内部テーパ部および周囲の外部テーパ部を有し、
前記本体は、前記１つ以上の入口パイプと前記ノズルの前記流路との間に傾斜した接続路をさらに有し、前記傾斜した接続路および前記流路の一方または両方は、前記接続路から与えられた材料が、接線方向および縦方向の両方の成分を有しかつエアロゾル状のらせん流路に沿って前記ノズルの前記ルーメンを通過するように構成されている、
前記装置。
【請求項２】
前記ノズルの前記遠位端の先端をさらに有し、前記ノズルおよび前記先端は、少なくとも１つの傾斜流体噴射を含むエアロゾルビームを形成して供給するように構成されており、前記少なくとも１つの傾斜流体噴射は、ほぼらせん流のパターンで前記先端を通過し、前記ノズルの垂直軸に対して非ゼロの角度を有する傾斜噴射として前記先端を出るとともに、前記ノズルの前記垂直軸と交差しない、
これにより、前記流れは、根管に入り、接線方向および縦方向の成分を有するほぼらせん流のパターンで前記根管の壁に沿って流れて前記根管から軟部組織または硬部組織を除去する、
請求項１に記載の装置。
【請求項３】
ａ）前記ノズルは、内部コーンおよび外部コーンを備えるとともに、前記内部コーンと前記外部コーンの間に前記流路を形成するルーメンを有し、
ｂ）前記先端の直径および前記先端の出口孔は、約０．３〜２ｍｍであり、
ｃ）前記先端の外径は、約０．５〜２．５ｍｍであり、
ｄ）前記先端の長さは、０．２〜７ｍｍであり、
ｅ）遠位方向に先細りの前記流路の近位端の初期幅は、２．７ｍｍであり、遠位方向に増加し、
ｆ）前記ルーメンの幅は、一定、もしくは、遠位方向に増加もしくは減少し、
ｇ）前記ルーメンの幅は、全長にわたって１ｍｍであり、
ｈ）出口孔を通過する際の傾斜噴射の直径は、約１０μｍ〜約０．３ｍｍであり、
ｉ）前記ノズルは、１つ以上の傾斜流体噴射を生成するための１つ以上の誘導用チャンネルをさらに備え、もしくは、
ｊ）前記ノズルは、内部に１つ以上の誘導用チャンネルをさらに備え、
もしくは、上記の組み合わせ、および／または、
前記ノズルは、前記根管の垂直軸に沿って位置決めされるとき、
ｋ）角度γは、約０〜８５度であり、
ｌ）前記噴射の衝撃点は、前記根管の入口の周囲にあり、
ｍ）衝撃点は、約０．１〜３ｍｍの距離だけ、前記根管の入口の周囲の下方にあり、
ｎ）傾斜噴射と、前記根管の前記垂直軸に垂直な平面との間の角度αは、約１０〜８５度であり、
ｏ）前記噴射は、前記根管の前記垂直軸に垂直な平面に対して約１０〜８５度の角度αで前記根管の壁に衝突し、
ｐ）前記根管内の前記らせん流は、乱流成分を有し、
ｑ）角度βは、前記根管内のらせん流の所望半径に応じて約５〜７０度であり、および、
ｒ）前記ノズルは、前記根管内の前記傾斜噴射が、前記歯の垂直面と交差する平面上を流れるように構成された傾斜付きチューブを有する、
の１つ以上を具備するように構成されている、
請求項１または２に記載の装置。
【請求項４】
前記本体の近位端に、第２の内部コーンおよび第２の周囲の外部コーンによって形成されたルーメンをさらに有し、
前記傾斜した接続路は、直線状または曲線状であり、前記第２の内部コーンの本体部を通過するチューブによって、または、前記第２の内部コーンの本体部の表面上のチャンネルによって形成されている、
請求項１または２に記載の装置。
【請求項５】
歯の髄室から帰還する流体および残渣を回収するための吸引源に接続可能な吸引チャンネルをさらに備え、
前記吸引チャンネルは、前記髄室の内部にちょうど収まる大きさの先端で終端し、
前記吸引チャンネルは、前記ノズルの前記外部コーンを取り囲むルーメンによって形成され、前記コーン間のルーメン、および／または前記傾斜した接続路、および／または前記先端への入口は、液体と、研磨粉および気体の少なくとも一方とを混合するように構成されている、
請求項１〜４のいずれか一項に記載の装置。
【請求項６】
前記ノズルは、複数の噴射を形成するように構成されており、１つ以上の傾斜噴射が前記流路に生成されて前記複数の噴射が異なった角度で前記根管の壁に当たり前記根管の壁に沿ってほぼらせん状のパターンで一緒に流れる、１つ以上のチャンネルを備える、
請求項１〜５のいずれか一項に記載の装置。
【請求項７】
前記ノズルは、１つ以上の翼形状の出口流成形要素を備える、
請求項１に記載の装置。
【請求項８】
前記ノズルは、前記ノズルの内部コーンと外部コーンの間の前記ルーメンの中に延びる追加パイプであって流体の流れを前記ノズル軸と平行に前記ノズルに通す前記追加パイプを有し、前記追加パイプは、液体、研磨剤、および気体の少なくとも１つの外部源に接続可能である、
請求項１または２に記載の装置。
【請求項９】
前記追加パイプは、前記傾斜した接続路と交差する、
請求項８に記載の装置。
【請求項１０】
請求項１〜９のいずれか一項に記載の装置と、
液体タンクと、
研磨剤タンクと、
圧縮ガス源と、
前記装置の本体に接続され、調整可能な流量および／またはパルス繰り返し数を有するパルス形式の吸引を提供する吸引源と、
を備え、
前記装置の前記１つ以上の入口パイプは、ハンドルを通過して前記液体タンク、ならびに、前記研磨剤タンク、および／または前記圧縮ガス源タンク、および／または前記圧縮ガス源の少なくとも１つを前記ノズルに接続し、
前記エアロゾルの組成は、制御され、液体、気体、または、気体および研磨剤もしくは液体、または、研磨剤もしくは液体、気体および研磨剤、の少なくとも１つを含む、
システム。
【請求項１１】
前記ノズルが前記根管の垂直軸に沿って位置決めされるとき、
ａ）前記流体が前記根管に入る際の速度は、約０．５〜２５ｍ／秒であり、
ｂ）前記圧縮ガスの圧力は、前記ノズルから出る噴射の圧力が約１０〜２００ＰＳＩとなり、前記噴射が前記根管の壁に当たる際の圧力が約５〜１５０ＰＳＩとなるように調整可能であり、
ｃ）研磨剤の流量は、研磨剤が前記ノズルから出る流体のうちの約０．０１〜３％を含むように調整可能であり、
ｄ）前記研磨剤は、直径が約２〜５００μｍの粉粒子状であり、
ｅ）流体の体積流量は、約０．１〜１００ｍｌ／秒の範囲で調整可能であり、
ｆ）前記根管の壁に沿った前記噴射の速度は、約０．５〜５０ｍ／秒の範囲で調整可能であり、
ｇ）前記気体および前記エアロゾルは、５〜９５％の気体と５〜９５％の液体を含むように制御され、ならびに、
ｈ）前記傾斜噴射の速度ベクトルＶは、前記根管の垂直軸に沿う成分Ｖｙが約２〜５０ｍ／秒であり、前記垂直軸に垂直でかつ前記根管の入口の直径に垂直な軸に沿う成分Ｖｚが約０．５〜２５ｍ／秒である、
の１つ以上を具備する、
請求項１０に記載のシステム。
【請求項１２】
前記圧縮ガス源は、圧力が約５〜５００ＰＳＩの空気圧縮機および／または気体タンクであり、前記圧縮ガス源は、前記ノズル、前記液体タンク、および／または前記研磨剤タンクのうちの１つ以上に直接接続されている、
請求項１０または１１に記載のシステム。
【請求項１３】
当該システムは、制御パネルおよび電気回路によって電気的に制御される、
請求項１０に記載のシステム。
【請求項１４】
請求項１〜９のいずれか一項に記載の装置または請求項１０〜１３のいずれか一項に記載のシステムを用いて歯内治療を行うための方法であって、
前記根管の壁に当たってほぼらせん流路を有する前記壁に沿って流れる少なくとも１つの流体傾斜噴射を導き、当該流れによって、前記根管から１つ以上の洗浄剤により前記根管を治療して、前記根管を摩耗させ、洗浄し、消毒するステップと、
廃棄するために流体および前記根管から除去された材料を回収するステップと、
を有する、前記方法。
【請求項１５】
ａ）ノズルから出る噴射の圧力を約１０〜２００ＰＳＩに設定するステップ、
ｂ）前記噴射が約５〜１５０ＰＳＩの圧力で前記根管の壁に当たるように前記噴射の圧力を設定するステップ、
ｃ）前記流体噴射中の研磨剤の割合を前記流体の約０．０１〜３％に設定するステップ、
ｄ）直径が約２〜５００μｍとなるように研磨剤粒子の大きさを選択するステップ、
ｅ）結晶子、ケイ素粉末、ガラス粉末、ガーネット粉末、アルミニウム粉末、マグネシウム粉末、セラミック粉末、プラスチック粉末、合成物、エメリー粉末、貝殻粉末、セメント粉末、塩、粉砕種子、および／またはこれらの組み合わせのうちの１つを含むように前記研磨剤を選択するステップ、
ｆ）気泡を研磨剤として使用するステップ、
ｇ）前記根管の壁に沿って進む前記噴射の体積流量を約０．５〜５０ｍｌ／秒の範囲で選択するステップ、
ｈ）流量が約５０ｍｌ／秒となるように前記流体噴射の速度を選択するステップ、
ｉ）前記噴射の衝突点が前記根管の入口の周囲にあるように前記噴射を導くステップ、
ｊ）前記噴射の衝突点が前記根管の入口の下方、約０．１〜３ｍｍにあるように前記噴射を導くステップ、
ｋ）前記ノズルの先端を約０．２〜２．５ｍｍの距離だけ前記根管の中に挿入するステップ、
ｌ）前記根管の前記垂直軸に垂直な平面上への前記噴射の投影と、前記根管の前記垂直軸に垂直でかつ前記根管の入口の直径に垂直な軸との間の角度βが、約２０〜７０度となるように前記ノズルを位置決めするステップ、
ｍ）角度βが約５〜２０度となるように前記ノズルを位置決めするステップ、
ｎ）前記流れが前記根管の壁に沿って近接して流れ、または前記根管に付着し、および／または上下の揺れを減らすように前記角度βを選択することによって前記噴射の前記流路を調整するステップ、
ｏ）前記噴射の速度ベクトルＶについて、前記根管の垂直軸に沿う成分Ｖｙが約２〜５０ｍ／秒となり、前記垂直軸に垂直でかつ前記根管の入口の直径に垂直な軸に沿う成分Ｖｚが約０．５〜２５ｍ／秒となるように前記噴射の前記流路を調整するステップ、
ｐ）前記根管の入口の直径に応じて前記ノズル先端の出口孔の直径を選択するステップ、
ｑ）前記根管の壁の表面の少なくとも約２０〜９０％を洗浄および／または浸食するステップ、
ｒ）前記ノズルの垂直軸と前記根管の前記垂直軸とを一致させるステップ、
ｓ）治療時間を選択するステップ、
ｔ）治療時間を約１５〜６０秒の範囲で選択するステップ、
ｕ）前記噴射のパルス繰り返し数、パルス持続時間、およびパルス間隔を選択して組織の除去率を制御するステップ、
ｖ）複数の噴射が、前記根管の前記垂直軸に垂直な平面に対して約１０〜８５度の角度αで前記根管の壁に衝突するように前記ノズルを位置決めするステップ、
ｗ）複数の噴射が、前記根管の壁に対して約３０〜７０度の角度で前記根管の壁に当たるように、前記複数の噴射を導くステップ、
ｘ）前記流体の弾性、前記流体の粘性、前記流体の速度、前記ビームの形状、および／または前記流量のうちの１つ以上をもたらすように前記流体の組成を制御するステップ、ならびに、
ｙ）前記流体噴射を一連のパルスの形で提供するステップ、
のうちの少なくとも１つ以上をさらに有する、
請求項１４に記載の方法。
【請求項１６】
前記噴射は、神経組織、歯髄組織、象牙質、血管その他硬部組織および／または軟部組織、ならびに前記根管からの残渣のうちの少なくとも１つを除去し、象牙質細管の少なくとも一部に入り治療する、
請求項１４に記載の方法。
【請求項１７】
前記根管は、狭窄部分、湾曲部分、および分岐部分のうちの１つ以上を有し、前記流れは、前記狭窄部分、前記湾曲部分、および／または前記分岐部分を通って前記根管の壁に沿って頂点に到達し、前記頂点の自然開口部を拡大することなく前記治療を行う、
請求項１４に記載の方法。
【請求項１８】
当該方法は、前記根管の入口の上方にノズルを位置決めするステップをさらに有し、前記ノズルの縦軸は、前記根管の垂直軸に平行である、
請求項１４に記載の方法。
【請求項１９】
前記流体噴射は、研磨剤を含み、当該方法は、前記根管の壁の少なくとも一部から前記根管の壁を構成する象牙質の層を洗浄および／または浸食して前記根管を拡大するステップをさらに有する、
請求項１４に記載の方法。
【請求項２０】
当該方法は、前記流体のせん断粘度、前記噴射パルスの適用の圧力、持続時間、および速度、前記吸引速度、前記適用持続時間、前記吸引パルスの適用速度、ならびに前記研磨剤の粒子の大きさおよび組成、のうちの１つ以上を選択して、前記除去層の厚さを決定するステップをさらに有する、
請求項１４に記載の方法。
【請求項２１】
水、食塩水、消毒薬剤、防腐薬剤、または抗菌薬剤のうちの１つ以上を含むように前記液体を選択するステップをさらに有する、
請求項１４に記載の方法。
【請求項２２】
歯の治療道具を提供するステップと、
前記道具を、流体を形成する、液体のみ、気体のみ、液体または気体および研磨剤、の源に接続するステップと、
前記流体を前記道具のノズルに通すステップと、
エアロゾル流体噴射を、前記ノズルの出口孔から、前記ノズルの垂直軸に対して非ゼロの角度で、前記ノズルの前記垂直軸と交差せずに、噴出させるステップと、
を有する方法。
【請求項２３】
前記流体は、接線方向および縦方向の両方の成分を有するらせんの形で流路を通過する、
請求項２２に記載の方法。